(57)【要約】  【課題】  不定形サイズの原稿を大量に複写する場合に、一回的操作により余計な電力を消費せずに原稿サイズを認識できる複写機を提供する。  【解決手段】  自動給紙装置と、この自動給紙装置内に原稿の通過時間を検出する検出手段とを備える複写機を前提とし、上記通過時間に基づいて原稿の長径と短径とを算出する算出手段を設ける。既存の検出手段を用いるので、余計な電力は消費しない。  さらに、算出された長径と短径とに基づいてこの原稿のサイズを登録する登録手段を設ける。これによれば、不定形サイズの原稿を大量に複写する場合において、この登録されたサイズを用いることにより、原稿サイズの認識を毎回行う必要がなくなる。【選択図】  図１
2006235094.tif 000002
【特許請求の範囲】
【請求項１】
原稿の給紙を行う自動給紙装置と、該自動給紙装置内に所定位置における給紙された原稿の通過時間を検出する検出手段とを備える複写機において、
１回目の給紙の際の上記通過時間に基づいて原稿の縦横の何れか一方の長さを算出し、２回目の給紙の際の上記通過時間に基づいて他方の長さを算出する算出手段と、
上記算出手段が算出した長さに基づいて上記原稿のサイズを登録する登録手段と
を備えることを特徴とする、複写機。
【発明の詳細な説明】
【技術分野】
【０００１】
本発明は、自動給紙装置を備える複写機に関する。
【背景技術】
【０００２】
近年、オフィスのみならず家庭においても、複写機を設置する場合が増えてきている。
【０００３】
一般に複写の作業においては、これから複写する原稿のサイズを複写機にいかに認識させるかが重要な課題である。なぜならば、原稿サイズに応じて最適な用紙を選択して、複写に用いなければならないからである。
【０００４】
例えばA4サイズやB5サイズ等の定型サイズならば、タッチパネル等から原稿サイズをユーザが手入力して、複写を行うことができる。また、以下のようにして、原稿サイズを複写機に自動的に認識させる方法も開発されている。
【０００５】
図4は、自動給紙装置(ADF : Auto Document Feeder)を備える複写機を上方から見た図である。このような複写機では、複写を行う際に、自動給紙装置41に原稿Pをセットすることになるが、このとき原稿Pを支持するガイド42の位置に基づいて原稿Pの縦横の一方(矢印W)の長さを認識する。
【０００６】
一方、原稿Pの他方(矢印L)の長さについては、A4サイズやB5サイズ等に相当する位置に長さスイッチ43が設けられており、この長さスイッチ43が原稿Pにて押下されるか否かで、この原稿Pの他方の長さを認識する。こうして原稿Pの両方の長さが認識できれば、原稿サイズが確定し、使用する用紙を選択することが可能である。
【０００７】
ところが、この方法では上記のような定型サイズの原稿ならばその原稿サイズを認識することが可能であるが、不定形サイズの原稿になるとそのサイズを認識することができなくなる。なぜならば、長さスイッチ43は定型サイズに応じて離散的に数個設けることしかできないからである。確かに、長さスイッチ43の数を増やすことは可能であるが、それでも連続的な測定は不可能であるから、あらゆる不定形サイズの原稿に対応することはできないのである。
【０００８】
そこで、このような問題に対応すべく、読取手段を利用して不定形の原稿サイズを認識する技術が、下記の特許文献に開示されている。
【０００９】
この技術は図5に示すように、原稿台51に送られた原稿Pを、読取手段52が矢印A方向に主走査し、矢印B方向に副走査することで、不定形の原稿サイズを認識する技術である。
【特許文献１】特開平６−２３９４９２号公報
【発明の開示】
【発明が解決しようとする課題】
【００１０】
しかし、上記特許文献の技術には次のような問題点がある。
【００１１】
第一に、上述の主走査及び副走査には時間がかかる。このため、不定形サイズの原稿を大量に複写する場合に、毎回上記のような原稿サイズの認識を行うのは効率的ではない。
【００１２】
第二に、主走査及び副走査は読取手段52の光源が原稿を照射することによって行われるため、消費電力が大きい。従って同様に、毎回原稿サイズの認識を行うのは省電力化の観点から好ましくない。
【００１３】
本発明はこのような問題点に鑑みてなされたものであって、不定形サイズの原稿を大量に複写する場合に、一回的操作により余計な電力を消費せずに原稿サイズを認識できる複写機を提供することを目的とする。
【課題を解決するための手段】
【００１４】
上記目的を達成するために、本発明では以下のような手段を採用している。
【００１５】
本願出願人は、一般的な自動給紙装置11には図3に示すように紙詰まりを検出する検出手段12が数個(この図3では4個)備えられていることに着目した。この検出手段12は原稿が搬送路Rを通過する際の通過時間を測定している。そしてこの通過時間が異常に長いときは、自動給紙装置11は紙詰まりが起きたと判断するのである。換言すると、原稿が正常に通過すれば、上記通過時間に基づいて原稿サイズを認識することが可能である。
【００１６】
このような観点から、まず、本発明では、自動給紙装置と、この自動給紙装置内に原稿の通過時間を検出する検出手段とを備える複写機を前提としている。そして、このような複写機において、1回目の給紙における通過時間に基づいて算出された長さを縦横の何れか一方の長さとし、２回目の給紙の際における通過時間に基づいて算出された長さを他方の長さとする。
【００１７】
本発明では、２回の給紙で縦横の長さを算出するので、ユーザは、1回目と２回目の給紙で給紙させる原稿を自動給紙装置にセットする場合は、それぞれ向きを90°異ならせておく。
【００１８】
さらに、算出された縦横の長さに基づいて原稿のサイズを登録する登録手段を設ける。これによれば、不定形サイズの原稿を大量に複写する場合において、この登録されたサイズを原稿のサイズとして用いることにより、原稿サイズの認識を毎回行う必要がなくなる。
【発明の効果】
【００１９】
以上のように、本発明によれば、不定形サイズの原稿を大量に複写する場合に、一回的操作により余計な電力を消費せずに原稿サイズを認識できる。
【発明を実施するための最良の形態】
【００２０】
以下、本発明を実施するための最良の形態について、図面を参照しながら詳細に説明する。
【００２１】
図１は、本発明の複写機10の構成図である。このうち自動給紙装置(ADF : Auto Document Feeder)11の構成は上記図3と同様であり、原稿の搬送路Rには紙詰まりを検出する検出手段12が4個備えられている。この検出手段12は原稿が搬送路Rを通過する際の通過時間を測定している。そしてこの通過時間が異常に長いときは、自動給紙装置11は紙詰まりが起きたと判断するのである。換言すると、原稿が正常に通過すれば、上記通過時間に基づいて原稿サイズを認識することが可能である。
【００２２】
そこで、本発明の複写機10には、上記通過時間に基づいて原稿の長さを算出する算出手段13(メモリに格納されたプログラムである)を設けている。この構成において、原稿の縦横の長さは以下のようにして行われる。
【００２３】
図2はこの自動給紙装置11を上方から見た図である。そしてまず、ユーザは、複写機10に備えられた操作パネル等を操作して、原稿サイズを算出して登録する登録モードで複写機10を起動させる。
【００２４】
次に、ユーザは、原稿Pの縦横のうちの一方Wが搬送路Rと平行になるようにセットし(図2(a))、この原稿Pを読取らせる。上述の通り、検出手段12はこの原稿Pの通過時間を測定しているから、算出手段13はこの通過時間を搬送ローラ14の回転速度で除して、一方Wの長さを算出することができる。
【００２５】
つぎに、ユーザは、原稿Pを他方Lが搬送路Rと平行になるようにセットし(図2(b))、この原稿Pを読取らせる。すると同様に、検出手段12が測定した原稿Pの通過時間を搬送ローラ14の回転速度で除すれば、他方Lの長さを算出できる。
【００２６】
このようにして原稿Pの縦横の一方Lと他方Wの長さが算出手段13により算出される。本実施の形態では、算出手段13は、1回目の読取りによって算出した一方Lの長さを原稿Pの縦の長さとし、２回目の読取りによって算出した他方Wの長さを原稿Pの横の長さとする。
【００２７】
以上のように縦横の長さを算出することによって、不定形サイズの原稿であっても、確実に原稿サイズを算出することができる。上述の通り、本発明では、紙詰まり検出のために備えられた既存の検出手段12を用いているので、新たな電力を消費することがないのが特徴である。
【００２８】
さらに、算出手段13が算出した原稿サイズを登録手段15(メモリに格納されたプログラムである)に登録しておく。これによれば、不定形サイズの原稿を大量に複写する場合において、この登録されたサイズを用いることにより、原稿サイズの認識を毎回行う必要がなくなるので、作業効率が向上する。
【００２９】
尚、図1の例では図3と同様に、検出手段12は4個設けられているが、このうちの1つを用いれば、本発明は実施可能である。しかし、算出手段13のプログラミングにより、4個の検出手段12の測定した通過時間の平均値を用いることにすれば、原稿サイズの算出がより正確に行われるようになる。
【産業上の利用可能性】
【００３０】
本発明にかかる複写機は、不定形サイズの原稿を大量に複写する場合に、一回的操作により余計な電力を消費せずに原稿サイズを認識できる。従って、複写機はもちろん、複写機能を備える複合機等としても有用である。
【図面の簡単な説明】
【００３１】
【図１】本発明の複写機の構成図。
【図２】自動給紙装置を上方から見た図。
【図３】自動給紙装置の構成図。
【図４】自動給紙装置を上方から見た図。
【図５】原稿台を上方から見た図。
【符号の説明】
【００３２】
・  複写機
・  自動給紙装置
・  検出手段
・  算出手段
・  搬送ローラ
・  登録手段
P  原稿
R  搬送路
【図１】
2006235094.tif 000003
【図２】
2006235094.tif 000004
【図３】
2006235094.tif 000005
【図４】
2006235094.tif 000006
【図５】
2006235094.tif 000007